(57)【要約】【課題】回転ダイヤルとその近傍に別の操作対象がある場合に、誤操作や誤入力の低減を可能とする操作入力装置を提供する。【解決手段】タッチ状態を検出する複数の電極Ｘｉ（ｉ＝０，１，〜，ｎ）をノブであるダイヤルノブ１１０の周囲に有し、操作パネル２００上に回転可能に配置されて、回転操作により入力動作を行なう回転ダイヤル１００と、複数の電極Ｘｉ（ｉ＝０，１，〜，ｎ）のタッチ状態を判断することにより、回転ダイヤル１００の入力操作を制限する制御を行なう制御部３００と、を有して操作入力装置を構成する。【選択図】図１
2017027284.tif 000002
【特許請求の範囲】
【請求項１】
タッチ状態を検出する複数の電極をノブの周囲に有し、操作パネル上に回転可能に配置されて、回転操作により入力動作を行なう回転ダイヤルと、
前記複数の電極のタッチ状態を判断することにより、前記回転ダイヤルの入力操作を制限する制御を行なう制御部と、
を有することを特徴とする操作入力装置。
【請求項２】
前記制御部は、前記複数の電極のうちの１のみの電極がタッチオンの状態である場合には前記回転ダイヤルによる入力操作を制限し、２以上の電極がタッチオンの状態である場合には前記回転ダイヤルによる入力操作を許容することを特徴とする請求項１に記載の操作入力装置。
【請求項３】
前記操作パネルは、タッチスイッチであることを特徴とする請求項１に記載の操作入力装置。
【請求項４】
前記制御部は、前記複数の電極の１のみの電極がタッチオンの状態である場合には前記回転ダイヤルによる入力操作を制限すると共に前記タッチスイッチのタッチ操作を許容し、前記複数の電極の２以上の電極がタッチオンの状態である場合には前記回転ダイヤルによる入力操作を許容すると共に前記タッチスイッチのタッチ操作を制限することを特徴とする請求項３に記載の操作入力装置。
【請求項５】
前記操作パネルは、その一部に、操作状態を検出する操作入力スイッチを有することを特徴とする請求項１に記載の操作入力装置。
【請求項６】
前記操作入力スイッチは、前記操作入力スイッチがタッチ操作状態を検出するタッチスイッチであることを特徴とする請求項５に記載の操作入力装置。
【請求項７】
前記制御部は、前記複数の電極の１のみの電極がタッチオンの状態である場合には前記回転ダイヤルによる入力操作を制限すると共に前記操作入力スイッチの入力操作を許容し、前記複数の電極の２以上の電極がタッチオンの状態である場合には前記回転ダイヤルによる入力操作を許容すると共に前記操作入力スイッチの入力操作を制限することを特徴とする請求項５又は６に記載の操作入力装置。
【発明の詳細な説明】
【技術分野】
【０００１】
本発明は、回転ダイヤルを備えた操作入力装置に関する。
【背景技術】
【０００２】
従来、タッチスイッチと回転ダイヤルとを用いて車両搭載機器に入力操作を行う際に誤入力を低減することができる操作入力装置がある（例えば、特許文献１参照）。  
【０００３】
この操作入力装置は、割り当てられた機能を回転操作に応じて入力する回転ダイヤルと、回転ダイヤルと隣接して設けられ、割り当てられた機能を接触に応じて入力する複数のタッチスイッチと、回転ダイヤルとタッチスイッチとの入力に基づいて車両搭載機器を制御する制御部とを備える車両搭載機器用入力装置であって、制御部は、操作者が回転ダイヤルを回転操作している場合に、タッチスイッチによる入力を無効とするように構成されている。
【０００４】
上記のような構成において、制御部は、回転ダイヤルの回転操作が検出されているか判断する。回転ダイヤルの回転操作は、回転ダイヤルが回った際にスイッチが接続することで電気回路に電流が流れることによって検出するとされ、この回転操作の判断に基づいて、タッチスイッチによる入力を無効とする。これにより、たとえば、運転席側のユーザが自身から遠い位置にある回転ダイヤルを操作したときに、手のひらなどでタッチスイッチ群に触れることによって生じ得る、ユーザの意図しない操作を防ぐことができるとされている。
【先行技術文献】
【特許文献】
【０００５】
【特許文献１】特開２０１４−２０３３４８号公報
【発明の概要】
【発明が解決しようとする課題】
【０００６】
しかし、特許文献１に記載の操作入力装置は、タッチスイッチ側を手指でタッチ操作している際に、意図せずに回転ダイヤルを手指の一部が接触した場合に、回転ダイヤルの操作がされたものとする誤操作が発生する場合が生じうる。このように、回転ダイヤルとその近傍に別の操作対象がある場合に想定される種々の誤操作や誤入力が問題となる場合があった。
【０００７】
従って、本発明の目的は、回転ダイヤルとその近傍に別の操作対象がある場合に、誤操作や誤入力の低減を可能とする操作入力装置を提供することにある。
【課題を解決するための手段】
【０００８】
［１］本発明は、上記目的を達成するため、タッチ状態を検出する複数の電極をノブの周囲に有し、操作パネル上に回転可能に配置されて、回転操作により入力動作を行なう回転ダイヤルと、前記複数の電極のタッチ状態を判断することにより、前記回転ダイヤルの入力操作を制限する制御を行なう制御部と、を有することを特徴とする操作入力装置を提供する。
【０００９】
［２］前記制御部は、前記複数の電極のうちの１のみの電極がタッチオンの状態である場合には前記回転ダイヤルによる入力操作を制限し、２以上の電極がタッチオンの状態である場合には前記回転ダイヤルによる入力操作を許容することを特徴とする上記［１］に記載の操作入力装置であってもよい。
【００１０】
［３］また、前記操作パネルは、タッチスイッチであることを特徴とする上記［１］に記載の操作入力装置であってもよい。
【００１１】
［４］また、前記制御部は、前記複数の電極の１のみの電極がタッチオンの状態である場合には前記回転ダイヤルによる入力操作を制限すると共に前記タッチスイッチのタッチ操作を許容し、前記複数の電極の２以上の電極がタッチオンの状態である場合には前記回転ダイヤルによる入力操作を許容すると共に前記タッチスイッチのタッチ操作を制限することを特徴とする上記［３］に記載の操作入力装置であってもよい。
【００１２】
［５］また、前記操作パネルは、その一部に、操作状態を検出する操作入力スイッチを有することを特徴とする上記［１］に記載の操作入力装置であってもよい。
【００１３】
［６］また、前記操作入力スイッチは、前記操作入力スイッチがタッチ操作状態を検出するタッチスイッチであることを特徴とする上記［５］に記載の操作入力装置であってもよい。
【００１４】
［７］また、前記制御部は、前記複数の電極の１のみの電極がタッチオンの状態である場合には前記回転ダイヤルによる入力操作を制限すると共に前記操作入力スイッチの入力操作を許容し、前記複数の電極の２以上の電極がタッチオンの状態である場合には前記回転ダイヤルによる入力操作を許容すると共に前記操作入力スイッチの入力操作を制限することを特徴とする上記［５］又は［６］に記載の操作入力装置であってもよい。
【発明の効果】
【００１５】
本発明の一形態によれば、回転ダイヤルとその近傍に別の操作対象がある場合に、誤操作や誤入力の低減を可能とすることができる。
【図面の簡単な説明】
【００１６】
【図１】図１（ａ）は、本発明の第１の実施の形態に係る操作入力装置の正面図である。
【図２】図２（ａ）は、回転ダイヤルの外観斜視図（一部破断斜視図）であり、図２（ｂ）は、電極が見える状態で断面表示した断面図である。
【図３】図３は、回転ダイヤルの実施形態の一例を示す外観斜視図（一部破断斜視図）である。
【図４】図４は、本発明の実施の形態に係る操作入力装置の構成ブロック図である。
【図５】図５（ａ）は、意図しない回転ダイヤルへのタッチがされるシーンを示す操作入力装置の正面図であり、図５（ｂ）は、回転ダイヤルを手指で把持した状態で回転操作しているシーンを示す操作入力装置の正面図である。
【図６】図６は、本発明の第１の実施の形態に係る操作入力装置の動作を示すフローチャートである。
【図７】図７（ａ）は、本発明の第２の実施の形態に係る操作入力装置の正面図であり、図７（ｂ）は、意図しない回転ダイヤルへのタッチがされるシーンを示す操作入力装置の正面図であり、図７（ｃ）は、回転ダイヤルを手指で把持した状態で回転操作しているシーンを示す操作入力装置の正面図である。
【図８】図８は、本発明の第２の実施の形態に係る操作入力装置の動作を示すフローチャートである。
【図９】図９（ａ）は、本発明の第３の実施の形態に係る操作入力装置の正面図であり、図９（ｂ）は、意図しない回転ダイヤルへのタッチがされるシーンを示す操作入力装置の正面図であり、図９（ｃ）は、回転ダイヤルを手指で把持した状態で回転操作しているシーンを示す操作入力装置の正面図である。
【図１０】図１０は、本発明の第３の実施の形態に係る操作入力装置の動作を示すフローチャートである。
【発明を実施するための形態】
【００１７】
（第１の実施の形態）
本発明の第１の実施の形態に係る操作入力装置１は、タッチ状態を検出する複数、ｎ個の電極Ｘｉ（ｉ＝０，１，〜，ｎ）をノブであるダイヤルノブ１１０の周囲に有し、操作パネル２００上に回転可能に配置されて、回転操作により入力動作を行なう回転ダイヤル１００と、複数の電極Ｘｉ（ｉ＝０，１，〜，ｎ）のタッチ状態を判断することにより、回転ダイヤル１００の入力操作を制限する制御を行なう制御部３００と、を有して構成されている。
【００１８】
（回転ダイヤル１００、操作パネル２００）
図１（ａ）は、本発明の第１の実施の形態に係る操作入力装置の正面図である。
【００１９】
第１の実施の形態では、操作パネル２００上にタッチディスプレイ画面２１０が略全面に配置され、このタッチディスプレイ画面２１０の中に回転ダイヤル１００が回転可能に配置されている。操作者は、タッチディスプレイ画面２１０上の任意の点をタッチ操作又はなぞり操作等の入力操作が可能で、また、回転ダイヤル１００を手指で把持あるいは摘んだ状態で、図示するＡ方向に回転操作が可能である。
【００２０】
なお、タッチディスプレイ画面２１０上へのタッチ操作による入力操作、また、回転ダイヤル１００の回転による入力操作による各操作値は、後述する制御部３００を介して操作対象機器に出力され、各機器の遠隔操作等ができる構成とされている。
【００２１】
なお、タッチディスプレイ画面２１０は、操作パネル２００上の全面に配置されていなくてもよく、また、タッチ操作を行なうだけのタッチパッド等であってもよい。また、回転ダイヤル１００はタッチディスプレイ画面２１０の中ではなく隣接若しくは近傍に配置されていてもよい。すなわち、回転ダイヤル１００とタッチディスプレイ画面２１０は近傍に配置され、タッチディスプレイ画面２１０上のタッチ操作時に意図せずに操作している手指の一部が回転ダイヤル１００に接触する可能性のある配置関係となっている。
【００２２】
（回転ダイヤル１００の構成）
図２（ａ）は、回転ダイヤルの外観斜視図（一部破断斜視図）であり、図２（ｂ）は、電極が見える状態で断面表示した断面図である。
【００２３】
図２（ａ）に示すように、回転ダイヤル１００は、例えば、樹脂で形成された略円筒形状のダイヤルノブ１１０と、円筒内部１１０ａに電気的に独立して複数（ｎ個）配置された電極Ｘｉ（ｉ＝０，１，〜，ｎ）から概略構成されている。この電極Ｘｉ（ｉ＝０，１，〜，ｎ）は、タッチ状態、例えば、ノブの把持状態や摘んだ状態を検出する複数の電極をノブの周囲に短冊状に配置されている。この配置は、ノブの周方向に沿って等間隔に配置されるのが好ましい。
【００２４】
また、図２（ｂ）に示すように、電極Ｘｉ（ｉ＝０，１，〜，ｎ）は、円筒内部１１０ａに貼付けられ、所定の誘電率を有するダイヤルノブ１１０の樹脂部１１０ｂを挟んで、接触する指４００とコンデンサを形成する。指４００は静電容量が十分大きいグランドＧＮＤとして機能するので、指４００がタッチした樹脂部１１０ｂの部位に対応した電極Ｘｉ（ｉ＝０，１，〜，ｎ）は、静電容量値が大きくなる。したがって、電極Ｘｉ（ｉ＝０，１，〜，ｎ）から制御部３００へ接続された出力を検出することにより、電極へのタッチの有無を検出できる。なお、電極Ｘｉ（ｉ＝０，１，〜，ｎ）から制御部３００への電気的な接続は、回転ダイヤル１００が操作パネル２００に対して回転可能であるので、例えば、フレキシブル基板等を用いることができる。
【００２５】
図３は、回転ダイヤルの実施形態の一例を示す外観斜視図（一部破断斜視図）である。上記したように、回転ダイヤル１００は操作パネル２００に対して回転可能であるので、電極Ｘｉ（ｉ＝０，１，〜，ｎ）から操作パネル２００側への電気的な接続を工夫する必要がある。リード線や上記したフレキシブル基板を用いる以外には次のような構成が挙げられる。
【００２６】
図３に示すように、ダイヤルノブ１１０は、操作パネル２００に設けられた玉軸受２２０により回転可能に支持されている。また、ダイヤルノブ１１０の各電極Ｘｉ（ｉ＝０，１，〜，ｎ）からそれぞれ可動接点１２０ｉ（ｉ＝０，１，〜，ｎ）が突出して設けられている。この可動接点１２０ｉは櫛歯状に設けられ、このピッチに対応して、操作パネル２００側に図示省略する固定接点が設けられている。これにより、回転ダイヤル１００が回転操作された状態でも、各電極Ｘｉへのタッチ状態を操作パネル２００、制御部３００側で検出することができる。
【００２７】
（制御部３００）
図４は、本発明の実施の形態に係る操作入力装置の構成ブロック図である。制御部３００は、各電極への電荷チャージ等を行なう駆動部３１０、静電容量の検出を行なう検出部３２０、及び、各電極Ｘｉへのタッチの有無を判断する判断部３３０等から構成されている。その他、駆動部３１０から各電極Ｘｉ、また、各電極Ｘｉから検出部３２０への電気的接続を順次切替えるマルチプレクサ等を備える。同様に、タッチディスプレイ画面２１０上の各位置の静電容量値を順次検出するためのインターフェース部を有している。なお、各電極Ｘｉの個数が少ない場合は、それぞれの電極を切り替えずに多チャンネル入力としてもよい。
【００２８】
駆動部３１０は、所定のクロック周波数、所定のタイミングで、各電極Ｘｉ（ｉ＝０，１，〜，ｎ）へそれぞれ電荷をチャージする。
【００２９】
検出部３２０は、タッチ状態により静電容量値が変化した各電極Ｘｉ（ｉ＝０，１，〜，ｎ）の容量値ＣＸｉを検出する。これらの容量値ＣＸｉは、各電極Ｘｉ（ｉ＝０，１，〜，ｎ）から制御部３００へ入力される入力信号をカウンタにより量子化したカウンタ値とし、これに基づいて検出容量値をして算出することができる。
【００３０】
判断部３３０は、記憶されたプログラムに従って、後述するフローチャートにより種々の判断を実行して、操作入力装置の制御を行なう。
【００３１】
なお、制御部３００は、記憶されたプログラムに従って、取得したデータに演算、加工等を行うＣＰＵ、記憶部として半導体メモリであるＲＡＭ及びＲＯＭ等を備える。ＲＯＭには、例えば、ＣＰＵが動作するためのプログラムが格納されている。ＲＡＭは、例えば、一時的に演算結果等を格納する記憶領域として用いられる。記憶部には、例えば、タッチ判断を行なう閾値ＣＴＨ等を記憶する。
【００３２】
（操作入力装置１の動作）
図５（ａ）は、意図しない回転ダイヤルへのタッチがされるシーンを示す操作入力装置の正面図であり、図５（ｂ）は、回転ダイヤルを手指で把持した状態で回転操作しているシーンを示す操作入力装置の正面図である。
【００３３】
図５（ａ）において、操作者は、指４００でタッチディスプレイ画面２１０上の点Ｐ１をタッチ操作している。このタッチ操作のとき、操作者の手指の一部がダイヤルノブ１１０に接触する場合がある。この接触点は、操作者の意図しないタッチ位置、点Ｐ２である。このときのダイヤルノブ１１０の電極Ｘｉ（ｉ＝０，１，〜，ｎ）のうち、１つの電極がタッチオンとなり、他の電極はオフ状態となっている。すなわち、操作者がタッチディスプレイ画面２１０をタッチ操作しているときに、ダイヤルノブ１１０の電極Ｘｉ（ｉ＝０，１，〜，ｎ）のうち、１つの電極がタッチオンとなった場合は、回転ダイヤル１００へのタッチは操作者の意図ではないとして、タッチディスプレイ画面２１０のタッチ入力操作を許容して継続させることができる。また、ダイヤルノブ１１０が回転した場合でも、その回転による入力動作を無効にする等の制限を行なうことができる。
【００３４】
図５（ｂ）において、操作者は、指４００でダイヤルノブ１１０を把持又は摘んで回転操作をしている。このときの接触点は、点Ｐ３及び点Ｐ４である。このときのダイヤルノブ１１０の電極Ｘｉ（ｉ＝０，１，〜，ｎ）のうち、２つの電極がタッチオンとなり、他の電極はオフ状態となっている。ダイヤルノブ１１０の把持又は摘み方によっては、３以上の電極がタッチオンとなる。すなわち、操作者がタッチディスプレイ画面２１０をタッチ操作しているときに、ダイヤルノブ１１０の電極Ｘｉ（ｉ＝０，１，〜，ｎ）のうち、２つ以上の電極がタッチオンとなった場合は、ダイヤルノブ１１０の回転による入力動作は操作者の意図であるとして、入力動作を許容して継続させることができる。一方、２つ以上の電極がタッチオンの場合において、タッチディスプレイ画面２１０に意図せずにタッチした場合には、タッチディスプレイ画面２１０へのタッチ入力操作を無効にする等の制限を行なうことができる。
【００３５】
（シーン１：タッチディスプレイ画面２１０の操作時、ダイヤルノブ１１０に手指が触れる場合）
電極Ｘｉ（ｉ＝０，１，〜，ｎ）のうち、１つの電極がタッチオンの場合は、ダイヤルノブ１１０へのタッチは操作者の意図ではないとして、タッチディスプレイ画面２１０の操作を継続させる。一方、電極Ｘｉ（ｉ＝０，１，〜，ｎ）の２つ以上の電極がタッチオンの場合は、ダイヤルノブ１１０へのタッチは操作者の意図であるとして、ダイヤルノブ１１０の操作に切替えることができる。
【００３６】
（シーン２：ダイヤルノブ１１０の操作時、タッチディスプレイ画面２１０に手指が触れる場合）
電極Ｘｉ（ｉ＝０，１，〜，ｎ）のうち、１つの電極がタッチオンの場合は、タッチディスプレイ画面２１０への操作は操作者の意図であるとして、タッチディスプレイ画面２１０操作に切替えることができる。一方、電極Ｘｉ（ｉ＝０，１，〜，ｎ）の２つ以上の電極がタッチオンの場合は、ダイヤルノブ１１０へのタッチは操作者の意図であるとして、ダイヤルノブ１１０の操作を継続させる。
【００３７】
図６は、本発明の第１の実施の形態に係る操作入力装置の動作を示すフローチャートである。以下、このフローチャートに従って、操作入力装置の動作を説明する。
【００３８】
制御部３００の駆動部３１０は、所定のクロック周波数、所定のタイミングで、各電極Ｘｉ（ｉ＝０，１，〜，ｎ）へそれぞれ電荷をチャージする（Ｓｔｅｐ１１）。
【００３９】
制御部３００の検出部３２０は、タッチ状態により静電容量値が変化した各電極Ｘｉ（ｉ＝０，１，〜，ｎ）の容量値ＣＸｉを検出する（Ｓｔｅｐ１２）。
【００４０】
制御部３００は、ｉ＝ｎかどうかを判断する。ｉ＝ｎの場合は、Ｓｔｅｐ１４へ進み、ｉ＝ｎでない場合は、ｉ＝ｉ＋１としてＳｔｅｐ１１へ戻って繰り返えして動作を継続する（Ｓｔｅｐ１３）。
【００４１】
制御部３００の判断部３３０は、容量値ＣＸｉ（ｉ＝０，１，〜，ｎ）が閾値ＣＴＨを超えているかどうかを、すべての電極Ｘｉ（ｉ＝０，１，〜，ｎ）に対して判断する。これにより、２以上の電極がタッチオンかどうかを判断する。２以上の電極がタッチオンの場合は、Ｓｔｅｐ１５へ進み、２以上の電極がタッチオンでない場合は、Ｓｔｅｐ１６へ進む（Ｓｔｅｐ１４）。
【００４２】
制御部３００は、回転ダイヤル１００（ダイヤルノブ１１０）による入力操作を許容し、タッチディスプレイ画面２１０の入力操作を制限する（Ｓｔｅｐ１５）。
【００４３】
また、制御部３００は、回転ダイヤル１００（ダイヤルノブ１１０）による入力操作を制限し、タッチディスプレイ画面２１０の入力操作を許容する（Ｓｔｅｐ１６）。
【００４４】
上記示した一連の動作を繰り返して実行することにより、回転ダイヤル１００のダイヤルノブ１１０へのタッチが操作者の意図した操作かどうかを常に判断することができ、この判断に基づいて、回転ダイヤル１００又はタッチディスプレイ画面２１０への入力操作を許容し、または、制限する等の制御が可能になる。
【００４５】
（第２の実施の形態）
第１の実施の形態において操作パネル２００上にはタッチディスプレイ画面２１０が全面に配置されている態様を示したが、本発明の第２の実施の形態では、操作パネル２００上の一部にタッチスイッチが配置された構成としている。
【００４６】
図７（ａ）は、本発明の第２の実施の形態に係る操作入力装置の正面図であり、図７（ｂ）は、意図しない回転ダイヤルへのタッチがされるシーンを示す操作入力装置の正面図であり、図７（ｃ）は、回転ダイヤルを手指で把持した状態で回転操作しているシーンを示す操作入力装置の正面図である。
【００４７】
図７（ａ）に示すように、第２の実施の形態では、操作パネル２００上に第１タッチスイッチ２３０、第２タッチスイッチ２４０が配置され、また、操作パネル２００内には回転ダイヤル１００（ダイヤルノブ１１０）が回転可能に配置されている。操作者は、第１タッチスイッチ２３０、第２タッチスイッチ２４０上の点をタッチ操作又はなぞり操作等の入力操作が可能で、また、ダイヤルノブ１１０を手指で把持あるいは摘んだ状態で、回転操作が可能である。第１の実施の形態と同様に、ダイヤルノブ１１０と第１タッチスイッチ２３０、第２タッチスイッチ２４０は、操作パネル２００内でのタッチ操作時に意図せずに操作している手指の一部がダイヤルノブ１１０に接触する可能性のある配置関係となっている。その他の構成は、第１の実施の形態と同様であるので、重複する説明は省略する。
【００４８】
図７（ｂ）において、操作者は、指４００で第１タッチスイッチ２３０上の点をタッチ操作している。このタッチ操作のとき、操作者の手指の一部がダイヤルノブ１１０に接触する場合がある。この接触点は、操作者の意図しないタッチ位置、点Ｐ２である。このときのダイヤルノブ１１０の電極Ｘｉ（ｉ＝０，１，〜，ｎ）のうち、１つの電極がタッチオンとなり、他の電極はオフ状態となっている。すなわち、操作者が第１タッチスイッチ２３０をタッチ操作しているときに、ダイヤルノブ１１０の電極Ｘｉ（ｉ＝０，１，〜，ｎ）のうち、１つの電極がタッチオンとなった場合は、回転ダイヤル１００へのタッチは操作者の意図ではないとして、第１タッチスイッチ２３０のタッチ入力操作を許容して継続させることができる。また、ダイヤルノブ１１０が回転した場合でも、その回転による入力動作を無効にする等の制限を行なうことができる。
【００４９】
図７（ｃ）において、操作者は、指４００でダイヤルノブ１１０を把持又は摘んで回転操作をしている。このときの接触点は、点Ｐ３及び点Ｐ４である。このときのダイヤルノブ１１０の電極Ｘｉ（ｉ＝０，１，〜，ｎ）のうち、２つの電極がタッチオンとなり、他の電極はオフ状態となっている。ダイヤルノブ１１０の把持又は摘み方によっては、３以上の電極がタッチオンとなる。すなわち、第１タッチスイッチ２３０又は第２タッチスイッチ２４０をタッチ操作しているときに、ダイヤルノブ１１０の電極Ｘｉ（ｉ＝０，１，〜，ｎ）のうち、２つ以上の電極がタッチオンとなった場合は、ダイヤルノブ１１０の回転による入力動作は操作者の意図であるとして、入力動作を許容して継続させることができる。一方、２つ以上の電極がタッチオンの場合において、第１タッチスイッチ２３０又は第２タッチスイッチ２４０に意図せずにタッチした場合には、タッチ入力操作を無効にする等の制限を行なうことができる。
【００５０】
図８は、本発明の第２の実施の形態に係る操作入力装置の動作を示すフローチャートである。以下、このフローチャートに従って、操作入力装置の動作を説明する。
【００５１】
制御部３００の駆動部３１０は、所定のクロック周波数、所定のタイミングで、各電極Ｘｉ（ｉ＝０，１，〜，ｎ）へそれぞれ電荷をチャージする（Ｓｔｅｐ２１）。
【００５２】
制御部３００の検出部３２０は、タッチ状態により静電容量値が変化した各電極Ｘｉ（ｉ＝０，１，〜，ｎ）の容量値ＣＸｉを検出する（Ｓｔｅｐ２２）。
【００５３】
制御部３００は、ｉ＝ｎかどうかを判断する。ｉ＝ｎの場合は、Ｓｔｅｐ２４へ進み、ｉ＝ｎでない場合は、ｉ＝ｉ＋１としてＳｔｅｐ２１へ戻って繰り返えして動作を継続する（Ｓｔｅｐ２３）。
【００５４】
制御部３００の判断部３３０は、容量値ＣＸｉ（ｉ＝０，１，〜，ｎ）が閾値ＣＴＨを超えているかどうかを、すべての電極Ｘｉ（ｉ＝０，１，〜，ｎ）に対して判断する。これにより、２以上の電極がタッチオンかどうかを判断する。２以上の電極がタッチオンの場合は、Ｓｔｅｐ２５へ進み、２以上の電極がタッチオンでない場合は、Ｓｔｅｐ２６へ進む（Ｓｔｅｐ２４）。
【００５５】
制御部３００は、回転ダイヤル１００（ダイヤルノブ１１０）による入力操作を許容し、第１タッチスイッチ２３０、第２タッチスイッチ２４０の入力操作を制限する（Ｓｔｅｐ２５）。
【００５６】
また、制御部３００は、回転ダイヤル１００（ダイヤルノブ１１０）による入力操作を制限し、第１タッチスイッチ２３０、第２タッチスイッチ２４０の入力操作を許容する（Ｓｔｅｐ２６）。
【００５７】
上記示した一連の動作を繰り返して実行することにより、回転ダイヤル１００のダイヤルノブ１１０へのタッチが操作者の意図した操作かどうかを常に判断することができ、この判断に基づいて、回転ダイヤル１００又は第１タッチスイッチ２３０、第２タッチスイッチ２４０への入力操作を許容し、または、制限する等の制御が可能になる。
【００５８】
（第３の実施の形態）
第１、２の実施の形態において操作パネル２００上にはタッチ式の入力手段が配置されている態様を示したが、本発明の第３の実施の形態は、操作パネル２００上の一部に非タッチ式の入力手段が配置された構成である。非タッチ式の入力手段として、押圧スイッチ２５０を操作パネル２００上に配置した構成としている。
【００５９】
図９（ａ）は、本発明の第３の実施の形態に係る操作入力装置の正面図であり、図９（ｂ）は、意図しない回転ダイヤルへのタッチがされるシーンを示す操作入力装置の正面図であり、図９（ｃ）は、回転ダイヤルを手指で把持した状態で回転操作しているシーンを示す操作入力装置の正面図である。
【００６０】
図９（ａ）に示すように、第３の実施の形態では、操作パネル２００上に押圧スイッチ２５０が配置され、また、操作パネル２００内には回転ダイヤル１００（ダイヤルノブ１１０）が回転可能に配置されている。操作者は、押圧スイッチ２５０を押圧操作等の入力操作が可能で、また、ダイヤルノブ１１０を手指で把持あるいは摘んだ状態で、回転操作が可能である。第１、２の実施の形態と同様に、ダイヤルノブ１１０と押圧スイッチ２５０は、操作パネル２００内での操作時に意図せずに操作している手指の一部がダイヤルノブ１１０に接触する可能性のある配置関係となっている。その他の構成は、第１、２の実施の形態と同様であるので、重複する説明は省略する。
【００６１】
図９（ｂ）において、操作者は、指４００で押圧スイッチ２５０を押圧操作している。この押圧操作のとき、操作者の手指の一部がダイヤルノブ１１０に接触する場合がある。この接触点は、操作者の意図しないタッチ位置、点Ｐ２である。このときのダイヤルノブ１１０の電極Ｘｉ（ｉ＝０，１，〜，ｎ）のうち、１つの電極がタッチオンとなり、他の電極はオフ状態となっている。すなわち、操作者が押圧スイッチ２５０を押圧操作しているときに、ダイヤルノブ１１０の電極Ｘｉ（ｉ＝０，１，〜，ｎ）のうち、１つの電極がタッチオンとなった場合は、回転ダイヤル１００へのタッチは操作者の意図ではないとして、押圧スイッチ２５０の入力操作を許容して継続させることができる。また、ダイヤルノブ１１０が回転した場合でも、その回転による入力動作を無効にする等の制限を行なうことができる。
【００６２】
図９（ｃ）において、操作者は、指４００でダイヤルノブ１１０を把持又は摘んで回転操作をしている。このときの接触点は、点Ｐ３及び点Ｐ４である。このときのダイヤルノブ１１０の電極Ｘｉ（ｉ＝０，１，〜，ｎ）のうち、２つの電極がタッチオンとなり、他の電極はオフ状態となっている。ダイヤルノブ１１０の把持又は摘み方によっては、３以上の電極がタッチオンとなる。すなわち、押圧スイッチ２５０を押圧操作しているときに、ダイヤルノブ１１０の電極Ｘｉ（ｉ＝０，１，〜，ｎ）のうち、２つ以上の電極がタッチオンとなった場合は、ダイヤルノブ１１０の回転による入力動作は操作者の意図であるとして、入力動作を許容して継続させることができる。一方、２つ以上の電極がタッチオンの場合において、押圧スイッチ２５０を意図せずに押圧した場合には、押圧スイッチ２５０への入力操作を無効にする等の制限を行なうことができる。
【００６３】
図１０は、本発明の第３の実施の形態に係る操作入力装置の動作を示すフローチャートである。以下、このフローチャートに従って、操作入力装置の動作を説明する。
【００６４】
制御部３００の駆動部３１０は、所定のクロック周波数、所定のタイミングで、各電極Ｘｉ（ｉ＝０，１，〜，ｎ）へそれぞれ電荷をチャージする（Ｓｔｅｐ３１）。
【００６５】
制御部３００の検出部３２０は、タッチ状態により静電容量値が変化した各電極Ｘｉ（ｉ＝０，１，〜，ｎ）の容量値ＣＸｉを検出する（Ｓｔｅｐ３２）。
【００６６】
制御部３００は、ｉ＝ｎかどうかを判断する。ｉ＝ｎの場合は、Ｓｔｅｐ３４へ進み、ｉ＝ｎでない場合は、ｉ＝ｉ＋１としてＳｔｅｐ３１へ戻って繰り返えして動作を継続する（Ｓｔｅｐ３３）。
【００６７】
制御部３００の判断部３３０は、容量値ＣＸｉ（ｉ＝０，１，〜，ｎ）が閾値ＣＴＨを超えているかどうかを、すべての電極Ｘｉ（ｉ＝０，１，〜，ｎ）に対して判断する。これにより、２以上の電極がタッチオンかどうかを判断する。２以上の電極がタッチオンの場合は、Ｓｔｅｐ３５へ進み、２以上の電極がタッチオンでない場合は、Ｓｔｅｐ３６へ進む（Ｓｔｅｐ３４）。
【００６８】
制御部３００は、回転ダイヤル１００（ダイヤルノブ１１０）による入力操作を許容し、押圧スイッチ２５０の入力操作を制限する（Ｓｔｅｐ３５）。
【００６９】
また、制御部３００は、回転ダイヤル１００（ダイヤルノブ１１０）による入力操作を制限し、押圧スイッチ２５０の入力操作を許容する（Ｓｔｅｐ３６）。
【００７０】
上記示した一連の動作を繰り返して実行することにより、回転ダイヤル１００のダイヤルノブ１１０へのタッチが操作者の意図した操作かどうかを常に判断することができ、この判断に基づいて、回転ダイヤル１００又は押圧スイッチ２５０への入力操作を許容し、または、制限する等の制御が可能になる。
【００７１】
（本発明の実施の形態の効果）
本発明の実施の形態によれば、次のような効果を有する。
（１）本実施の形態では、回転ダイヤル１００のダイヤルノブ１１０の周囲に複数個の電極を配置し、この複数の電極のタッチ状態を判断する構成としている。すなわち、２つ以上の電極がタッチオンとなった場合は、ダイヤルノブ１１０の回転による入力動作は操作者の意図であると判断する。一方、１つの電極のみがタッチオンの場合は、ダイヤルノブ１１０へのタッチは操作者の意図ではないと判断する。これにより、回転ダイヤル１００の回転操作による入力操作を許容又は制限することができる。また、回転ダイヤル１００の近傍に配置され、操作している手指の一部が回転ダイヤル１００に接触する可能性のある操作手段の入力操作を制限又は許容することができる。
（２）上記のように、タッチディスプレイ画面２１０、あるいは、タッチスイッチ２３０、２４０等のタッチ式の入力手段を操作する場合に、これらの入力手段と回転ダイヤル１００が、意図せずに操作している手指の一部がダイヤルノブ１１０に接触する可能性のある配置関係となる場合であっても、操作意図切り分けが可能となり、これによる誤操作を低減することが可能になる。
（３）また、操作パネル２００の一部に非タッチ式の入力手段が配置された構成であっても、上記と同様に、操作意図切り分けが可能となり、これによる誤操作を低減することが可能になる。
（４）以上示したように、本実施の形態により、回転ダイヤルとその近傍に別の操作対象がある場合に、誤操作や誤入力の低減を可能とする操作入力装置を提供することが可能となる。
【００７２】
以上、本発明の実施の形態を説明したが、これらの実施の形態は、一例に過ぎず、特許請求の範囲に係る発明を限定するものではない。これら新規な実施の形態およびその変形例は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態およびその変形例は、発明の範囲及び要旨に含まれるとともに、特許請求の範囲に記載された発明とその均等の範囲に含まれる。
【符号の説明】
【００７３】
１…操作入力装置
１００…回転ダイヤル
１１０…ダイヤルノブ
１１０ａ…円筒内部
１１０ｂ…樹脂部
１２０ｉ（ｉ＝０，１，〜，ｎ）…可動接点
２００…操作パネル
２１０…タッチディスプレイ画面
２２０…玉軸受
２３０…第１タッチスイッチ
２４０…第２タッチスイッチ
２５０…押圧スイッチ
３００…制御部
３１０…駆動部
３２０…検出部
３３０…判断部
４００…指
Ｘｉ（ｉ＝０，１，〜，ｎ）…電極
ＣＸｉ（ｉ＝０，１，〜，ｎ）…容量値
ＣＴＨ…タッチ閾値
Ｐ１…タッチ位置
Ｐ２…意図しないタッチ位置
Ｐ３、Ｐ４…把持点
【図１】
2017027284.tif 000003
【図２】
2017027284.tif 000004
【図３】
2017027284.tif 000005
【図４】
2017027284.tif 000006
【図５】
2017027284.tif 000007
【図６】
2017027284.tif 000008
【図７】
2017027284.tif 000009
【図８】
2017027284.tif 000010
【図９】
2017027284.tif 000011
【図１０】
2017027284.tif 000012